(57)【要約】  【課題】冷蔵室の除霜水を冷蔵室外に排水する機能を持つ直冷式冷蔵庫においても、最上部のドア棚温度を低減することができる。  【解決手段】冷蔵室１９内に、上部が庫内側に傾斜した傾斜面２１を有するアルミプレート２０を内箱背面に取り付け、傾斜面２１が最上部の庫内棚の鉛直線上の上方に位置させ、最上部のドア棚の上端よりも最上部の庫内棚の食品塔載面を上部に位置させたことで、アルミプレート２０から最上部のドア棚まで、冷却された空気の風路が形成されているため、最上部のドア棚の温度を低減することができる。アルミプレート２０の傾斜面２１についた除霜水は傾斜面２１に沿って流れるためドレン部１６に確実に導かれるため、冷蔵庫の排水性機能は維持される。【選択図】図１
2006234220.tif 000002
【特許請求の範囲】
【請求項１】
外箱と内箱で構成される空間に断熱材が充填され、蛇行形状を有する冷蔵室冷却パイプが前記内箱の背面の断熱材側に取付けられた直冷式冷蔵庫の冷蔵室内に、水平配置された一つ以上の庫内棚とドアの庫内側に取り付けられた一つ以上のドア棚を有し、内箱の背面に付着した除霜水を冷蔵室外に排水するために、除霜水を受けるドレン部とドレン部の一部が冷蔵室外と連通した排水管部が内箱背面の下部に設けられている冷蔵庫において、上部が庫内側に傾斜した傾斜面を有するアルミプレートを内箱背面に取り付け、前記傾斜面は最上部の庫内棚の鉛直線上の上方に位置し、最上部のドア棚の上端よりも最上部の庫内棚の食品塔載面が上部に位置することを特徴とする冷蔵庫。
【請求項２】
外箱と内箱で構成される空間に断熱材が充填され、蛇行形状を有する冷蔵室冷却パイプが冷却プレートを介して前記内箱の背面の断熱材側に取付けられた直冷式冷蔵庫の冷蔵室内に、水平配置された一つ以上の庫内棚とドアの庫内側に取り付けられた一つ以上のドア棚を有し、内箱の背面に付着した除霜水を冷蔵室外に排水するために、除霜水を受けるドレン部とドレン部の一部が冷蔵室外と連通した排水管部が内箱背面の下部に設けられている冷蔵庫において、前記内箱背面が、庫内側に傾斜した傾斜面を上部に、傾斜面より下部に垂直面を持ち、前記冷却プレートも、前記内箱背面の傾斜面と垂直面に密着配置するよう、傾斜面を上部に、傾斜面より下部に垂直面を持ち、前記内箱の傾斜面は最上部の庫内棚の鉛直線上の上方に位置し、最上部のドア棚の上端よりも最上部の庫内棚の食品塔載面が上部に位置することを特徴とする冷蔵庫。
【請求項３】
外箱と内箱で構成される空間に断熱材が充填され、蛇行形状を有する冷蔵室冷却パイプが前記内箱の背面の断熱材側に取付けられた直冷式冷蔵庫の冷蔵室内に、水平配置された一つ以上の庫内棚とドアの庫内側に取り付けられた一つ以上のドア棚を有し、内箱の背面に付着した除霜水を冷蔵室外に排水するために、除霜水を受けるドレン部とドレン部の一部が冷蔵室外と連通した排水管部が内箱背面の下部に設けられている冷蔵庫において、最上部の庫内棚は食品を塔載するための食品塔載面と内箱の背面に付着した除霜水を受ける棚ドレン部からなり、食品塔載面は前部に、棚ドレン部は後部に位置し、棚ドレン部は除霜水をドレン部に導くための棚排水管部を有し、最上部のドア棚の上端よりも前記食品塔載面が上部に位置することを特徴とする冷蔵庫。
【請求項４】
外箱と内箱で構成される空間に断熱材が充填され、蛇行形状を有する冷蔵室冷却パイプが前記内箱の背面の断熱材側に取付けられた直冷式冷蔵庫の冷蔵室内に、水平配置された一つ以上の庫内棚とドアの庫内側に取り付けられた一つ以上のドア棚を有し、内箱の背面に付着した除霜水を冷蔵室外に排水するために、除霜水を受けるドレン部とドレン部の一部が冷蔵室外と連通した排水管部が内箱背面の下部に設けられている冷蔵庫において、最上部の庫内棚の食品搭載面よりも高い位置の内箱背面に、上部ドレン部と上部ドレン部の一部が冷蔵室外と連通した上部排水管部が備えられ、最上部のドア棚の上端よりも前記食品塔載面が上部に位置することを特徴とする冷蔵庫。
【発明の詳細な説明】
【技術分野】
【０００１】
本発明は、冷蔵庫の冷却仕様に関するものである。
【背景技術】
【０００２】
従来より小型の冷蔵庫においては、直接冷却方式が一般的に採用されている（例えば特許文献１参照）。
【０００３】
図１０は従来の冷蔵庫の断面図、図１１は従来の冷蔵室の正面図、図１２は従来の冷蔵庫の内箱の背面斜視図である。
【０００４】
１は冷蔵庫本体で外箱２と内箱３で囲まれた空間に断熱材４が充填され、上室が冷蔵室５、下室が冷凍室６である。冷蔵室５には食品を載せる第１の庫内棚７、第２の庫内棚８が上下にまた、冷蔵室ドア９には第１のドア棚１０、第２のドア棚１１が備えられていて、冷却器１２は、冷蔵室５を冷却するための蛇行形状を有する冷蔵室冷却パイプ１３と冷凍室６を冷却するための同じく蛇行形状を有する冷凍室冷却パイプ１４から成り、冷蔵室冷却パイプ１３は内箱３の背面の断熱材４側に、冷凍室冷却パイプ１４は内箱３の複数面の断熱材４側に取付けられ、冷却器１２からの熱伝導により冷却された内箱３が冷蔵室５及び冷凍室６を冷却している。１５は冷却器１２に冷媒を供給するための圧縮機であり、圧縮機１５の運転と停止を繰り返すことで、冷蔵室５と冷凍室６は所定の温度に保たれている。また、圧縮機１５の停止中毎には、冷蔵室５外からの吸熱により内箱３の温度が昇温するが、この時内箱３に付着した氷が融解し、融解した除霜水が内箱３を伝って下方に流れ落ちる。この除霜水を冷蔵室５外に排出するために、内箱３の背面下部に除霜水を受けるための第１のドレン部１６を備え、かつ第１のドレン部１６の一部には冷蔵室５外と連通している第１の排水管部１７を設けている。この霜取り方式は冷蔵室の除霜水を拭き取る手間も無いので使い勝手が良く、また安価でもあるため、小型機種に一般的に用いられている。
【特許文献１】特開平７−１２０１０８号公報
【発明の開示】
【発明が解決しようとする課題】
【０００５】
しかしながら、上記従来例に記載されている冷蔵庫の冷蔵室においては、除霜水をドレン部で受け冷蔵庫外に排出するために、冷蔵室冷却パイプが内箱背面にしかなく、また、内箱背面の除霜水が庫内棚に流れないように、確実に除霜水をドレン部に導くために、庫内棚は内箱背面とは隙間を設けて備えられている。この結果、冷やされ比重が大きくなった空気の一部はこの隙間が風路となり、冷蔵室の下方へと移動する。このため、最上部に位置する第１のドア棚まで冷気が届き難く、第１のドア棚の温度が高いという問題があった。
【０００６】
本発明は上記課題に鑑み、直冷式冷蔵室においても第１のドア棚の温度を低減する冷蔵庫を提供するものである。
【課題を解決するための手段】
【０００７】
上記従来の課題を解決するために、冷蔵室冷却パイプが内箱の背面の断熱材側に取付けられた直冷式冷蔵庫の冷蔵室内に、上部が庫内側に傾斜した傾斜面を有するアルミプレートを内箱背面に取り付け、前記傾斜面が最上部の庫内棚の鉛直線上の上方に位置し、最上部のドア棚の上端よりも最上部の庫内棚の食品塔載面が上部に位置することを特徴としたものである。
【０００８】
これによって、冷蔵室冷却パイプによって冷却された内箱が、アルミプレートを冷却し、アルミプレートにより冷却された空気は自然対流により冷蔵室内を循環することで冷蔵室内が冷却される。冷却された空気は比重が大きくなり冷蔵室の下方に移動するが、アルミプレートの傾斜面により冷却された空気は傾斜面の下部に位置している最上部の庫内棚の食品搭載面で受けられる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、アルミプレートから最上部のドア棚まで、冷却された空気の風路が形成されているため、最上部のドア棚の温度を低減することができる。アルミプレートの傾斜面についた除霜水は傾斜面に沿って流れるためドレン部に確実に導かれるため、冷蔵庫の排水性機能は維持される。
【０００９】
また、本発明の冷蔵庫は、冷蔵室冷却パイプが冷却プレートを介して内箱の背面の断熱材側に取付けられた直冷式冷蔵庫で、内箱背面が、庫内側に傾斜した傾斜面を上部に、傾斜面より下部に垂直面を持ち、前記冷却プレートも、前記内箱背面の傾斜面と垂直面に密着配置するよう、傾斜面を上部に、傾斜面より下部に垂直面を持たせ、内箱の傾斜面が最上部の庫内棚の鉛直線上の上方に位置し、最上部のドア棚の上端よりも最上部の庫内棚の食品塔載面が上部に位置することを特徴としたものである。
【００１０】
これによって、冷蔵室冷却パイプによって冷却された冷却プレートが内箱を冷却し、内箱により冷却された空気は自然対流により冷蔵室内を循環することで冷蔵室内が冷却される。冷却された空気は比重が大きくなり冷蔵室の下方に移動するが、内箱の傾斜面により冷却された空気は傾斜面の下部に位置している最上部の庫内棚の食品搭載面で受けられる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、内箱の傾斜面から最上部のドア棚まで、冷却された空気の風路が形成されているため、最上部のドア棚の温度を低減することができる。内箱の傾斜面についた除霜水は傾斜面に沿って流れるためドレン部に確実に導かれるため、冷蔵庫の排水性機能は維持される。
【００１１】
また、本発明の冷蔵庫は、最上部の庫内棚が食品を塔載するための食品塔載面と内箱の背面に付着した除霜水を受ける棚ドレン部からなり、食品塔載面は前部に、棚ドレン部は後部に位置し、棚ドレン部は水をドレン部に導くための棚排水管部を有し、最上部のドア棚の上端よりも前記食品塔載面が上部に位置することを特徴としたものである。
【００１２】
これによって、最上部の庫内棚の食品搭載面へ除霜水が流れこまないので、最上部の庫内棚は内箱背面と接触配置が可能となり、最上部の庫内棚と内箱背面の隙間はほぼ無くすことができ、冷却され比重が大きくなり冷蔵室の下方へと移動する空気は最上部の棚で受けることとなる。最上部の棚で受けられた空気は最上部の棚上を前後左右へと拡散しさらに冷蔵室の下方へと移動するが、前部に移動した空気は食品搭載面より下部に最上部のドア棚が位置しているため、最上部のドア棚に移動する。つまり、内箱背面から最上部のドア棚まで、冷却された空気の風路が形成されているため、最上部のドア棚の温度を低減することができる。
【００１３】
また、本発明の冷蔵庫は、最上部の庫内棚の食品搭載面よりも高い位置の内箱背面に、上部ドレン部と上部ドレン部の一部が冷蔵室外と連通した上部排水管部が備えられ、最上部のドア棚の上端よりも前記食品塔載面が上部に位置することを特徴とすることを特徴としたものである。
【００１４】
これによって、最上部の庫内棚の食品搭載面へ除霜水が流れこまないので、最上部の庫内棚は内箱背面と接触配置が可能となり、最上部の庫内棚と内箱背面の隙間はほぼ無くすことができ、冷却され比重が大きくなり冷蔵室の下方へと移動する空気は最上部の棚の食品搭載面で受けることとなる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、内箱背面から最上部のドア棚まで、冷却された空気の風路が形成されているため、最上部のドア棚の温度を低減することができる。
【発明の効果】
【００１５】
本発明の冷蔵庫は、冷蔵室冷却パイプが内箱の背面の断熱材側に取付けられた直冷式冷蔵庫の冷蔵室内に、上部が庫内側に傾斜した傾斜面を有するアルミプレートを内箱背面に取り付け、前記傾斜面が最上部の庫内棚の鉛直線上の上方に位置させ、最上部のドア棚の上端よりも最上部の庫内棚の食品塔載面を上部に位置させたことで、冷蔵室冷却パイプによって冷却された内箱が、アルミプレートを冷却し、アルミプレートにより冷却された空気は自然対流により冷蔵室内を循環することで冷蔵室内が冷却される。冷却された空気は比重が大きくなり冷蔵室の下方に移動するが、アルミプレートの傾斜面により冷却された空気は傾斜面の下部に位置している最上部の庫内棚の食品搭載面で受けられる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、アルミプレートから最上部のドア棚まで、冷却された空気の風路が形成されているため、最上部のドア棚の温度を低減することができる。アルミプレートの傾斜面についた除霜水は傾斜面に沿って流れるためドレン部に確実に導かれるため、冷蔵庫の排水性機能は維持される。
【００１６】
また、本発明の冷蔵庫は、冷蔵室冷却パイプが冷却プレートを介して内箱の背面の断熱材側に取付けられた直冷式冷蔵庫で、内箱背面が、庫内側に傾斜した傾斜面を上部に、傾斜面より下部に垂直面を持ち、前記冷却プレートも、前記内箱背面の傾斜面と垂直面に密着配置するよう、傾斜面を上部に、傾斜面より下部に垂直面を持たせ、内箱の傾斜面が最上部の庫内棚の鉛直線上の上方に位置させ、最上部のドア棚の上端よりも最上部の庫内棚の食品塔載面が上部に位置させたことで、冷蔵室冷却パイプによって冷却された冷却プレートが内箱を冷却し、内箱により冷却された空気は自然対流により冷蔵室内を循環することで冷蔵室内が冷却される。冷却された空気は比重が大きくなり冷蔵室の下方に移動するが、内箱の傾斜面により冷却された空気は傾斜面の下部に位置している最上部の庫内棚の食品搭載面で受けられる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、内箱の傾斜面から最上部のドア棚まで、冷却された空気の風路が形成されているため、最上部のドア棚の温度を低減することができる。内箱の傾斜面についた除霜水は傾斜面に沿って流れるためドレン部に確実に導かれるため、冷蔵庫の排水性機能は維持される。
【００１７】
また、本発明の冷蔵庫は、最上部の庫内棚が食品を塔載するための食品塔載面と内箱の背面に付着した除霜水を受ける棚ドレン部からなり、食品塔載面は前部に、棚ドレン部は後部に位置させ、棚ドレン部は除霜水をドレン部に導くための棚排水管部を有し、最上部のドア棚の上端よりも前記食品塔載面が上部に位置させたことで、最上部の庫内棚の食品搭載面へ除霜水が流れこまないので、最上部の庫内棚は内箱背面と接触配置が可能となり、最上部の庫内棚と内箱背面の隙間はほぼ無くすことができ、冷却され比重が大きくなり冷蔵室の下方へと移動する空気は最上部の棚で受けることとなる。最上部の棚で受けられた空気は最上部の棚上を前後左右へと拡散しさらに冷蔵室の下方へと移動するが、前部に移動した空気は食品搭載面より下部に最上部のドア棚が位置しているため、最上部のドア棚に移動する。つまり、内箱背面から最上部のドア棚まで、冷却された空気の風路が形成されているため、最上部のドア棚の温度を低減することができる。
【００１８】
また、本発明の冷蔵庫は、最上部の庫内棚の食品搭載面よりも高い位置の内箱背面に、上部ドレン部と上部ドレン部の一部が冷蔵室外と連通した上部排水管部を備え、最上部のドア棚の上端よりも前記食品塔載面が上部に位置させたことで、最上部の庫内棚の食品搭載面へ除霜水が流れこまないので、最上部の庫内棚は内箱背面と接触配置が可能となり、最上部の庫内棚と内箱背面の隙間はほぼ無くすことができ、冷却され比重が大きくなり冷蔵室の下方へと移動する空気は最上部の棚の食品搭載面で受けることとなる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、内箱背面から最上部のドア棚まで、冷却された空気の風路が形成されているため、最上部のドア棚の温度を低減することができる。
【発明を実施するための最良の形態】
【００１９】
請求項１に記載の発明は、冷蔵室冷却パイプが内箱の背面の断熱材側に取付けられた直冷式冷蔵庫の冷蔵室内に、上部が庫内側に傾斜した傾斜面を有するアルミプレートを内箱背面に取り付け、前記傾斜面が最上部の庫内棚の鉛直線上の上方に位置させ、最上部のドア棚の上端よりも最上部の庫内棚の食品塔載面を上部に位置させたことで、冷蔵室冷却パイプによって冷却された内箱が、アルミプレートを冷却し、アルミプレートにより冷却された空気は自然対流により冷蔵室内を循環することで冷蔵室内が冷却される。冷却された空気は比重が大きくなり冷蔵室の下方に移動するが、アルミプレートの傾斜面により冷却された空気は傾斜面の下部に位置している最上部の庫内棚の食品搭載面で受けられる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、アルミプレートから最上部のドア棚まで、冷却された空気の風路が形成されているため、最上部のドア棚の温度を低減することができる。
【００２０】
請求項２に記載の発明は、冷蔵室冷却パイプが冷却プレートを介して内箱の背面の断熱材側に取付けられた直冷式冷蔵庫で、内箱背面が、庫内側に傾斜した傾斜面を上部に、傾斜面より下部に垂直面を持ち、前記冷却プレートも、前記内箱背面の傾斜面と垂直面に密着配置するよう、傾斜面を上部に、傾斜面より下部に垂直面を持たせ、内箱の傾斜面が最上部の庫内棚の鉛直線上の上方に位置させ、最上部のドア棚の上端よりも最上部の庫内棚の食品塔載面が上部に位置させたことで、冷蔵室冷却パイプによって冷却された冷却プレートが内箱を冷却し、内箱により冷却された空気は自然対流により冷蔵室内を循環することで冷蔵室内が冷却される。冷却された空気は比重が大きくなり冷蔵室の下方に移動するが、内箱の傾斜面により冷却された空気は傾斜面の下部に位置している最上部の庫内棚の食品搭載面で受けられる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、内箱の傾斜面から最上部のドア棚まで、冷却された空気の風路が形成されているため、最上部のドア棚の温度を低減することができる。
【００２１】
請求項３に記載の発明は、最上部の庫内棚が食品を塔載するための食品塔載面と内箱の背面に付着した除霜水を受ける第二のドレン部からなり、食品塔載面は前部に、棚ドレン部は後部に位置させ、棚ドレン部は除霜水をドレン部に導くための棚排水管部を有し、最上部のドア棚の上端よりも前記食品塔載面が上部に位置させたことで、最上部の庫内棚の食品搭載面へ除霜水がに流れこまないので、最上部の庫内棚は内箱背面と接触配置が可能となり、最上部の庫内棚と内箱背面の隙間はほぼ無くすことができ、冷却され比重が大きくなり冷蔵室の下方へと移動する空気は最上部の棚で受けることとなる。最上部の棚で受けられた空気は最上部の棚上を前後左右へと拡散しさらに冷蔵室の下方へと移動するが、前部に移動した空気は食品搭載面より下部に最上部のドア棚が位置しているため、最上部のドア棚に移動する。つまり、内箱背面から最上部のドア棚まで、冷却された空気の風路が形成されているため、最上部のドア棚の温度を低減することができる。
【００２２】
請求項４に記載の発明は、最上部の庫内棚の食品搭載面よりも高い位置の内箱背面に、上部ドレン部と上部ドレン部の一部が冷蔵室外と連通した上部排水管部を備え、最上部のドア棚の上端よりも前記食品塔載面が上部に位置させたことで、最上部の庫内棚の食品搭載面へ除霜水が流れこまないので、最上部の庫内棚は内箱背面と接触配置が可能となり、最上部の庫内棚と内箱背面の隙間はほぼ無くすことができ、冷却され比重が大きくなり冷蔵室の下方へと移動する空気は最上部の棚の食品搭載面で受けることとなる。食品搭載面で受けられた空気は食品搭載面上を前後左右へと拡散しさらに冷蔵室の下方へと移動するが、前部に移動した空気は食品搭載面より下部に最上部のドア棚が位置しているため、最上部のドア棚に移動する。つまり、内箱背面から最上部のドア棚まで、冷却された空気の風路が形成されているため、最上部のドア棚の温度を低減することができる。
【００２３】
以下、本発明の実施の形態について、図面を参照しながら説明する。なお、この実施の形態によってこの発明が限定されるものではない。
【００２４】
（実施の形態１）
図１は本発明の実施の形態１における冷蔵庫の断面図である。図２は本発明の実施の形態１における冷蔵室の正面図である。図３は本発明の実施の形態１における内箱の背面斜視図である。
【００２５】
図１，２，３において１８は冷蔵庫本体であり、上室の冷蔵室１９の背面には、アルミプレート２０が取付けられている。２１はアルミプレートの傾斜面であり、第１の庫内棚２２の食品搭載面２３の鉛直線上の上方に位置している。２４は第１のドア棚であり第１のドア棚２４のドア棚上端２４ａは食品搭載面２３の下に位置している。
【００２６】
以上のように構成された冷蔵庫について、以下その動作、作用について説明する。
【００２７】
冷蔵室冷却パイプ１３により内箱３が冷却され、内箱３によりアルミプレート２０が冷却され、冷蔵室１９内は、そのアルミプレート２０によって冷却された空気が自然対流で循環することで冷やされる。傾斜面２１によって冷やされた空気は比重が大きくなるため下方に移動するが、傾斜面２１の鉛直方向の下部には第１の庫内棚２２が位置しているため、傾斜面２１で冷却された空気は第１の庫内棚２２の食品搭載面２３で受けられる。食品搭載面２３で受けられた空気は食品搭載面２３上を前後左右へと拡散しさらに冷蔵室１９の下方へと移動するが、前部に移動した空気は食品搭載面２３より下部に第１のドア棚２４の上端２４ａが位置しているため、第１のドア棚２４に移動する。つまり、アルミプレート２０から第１のドア棚２４まで、冷却された空気の風路が形成されているため、第１のドア棚２４の温度を低減することができる。アルミプレート２０の傾斜面２１についた除霜水は傾斜面２１に沿って流れるため第１のドレン部１６に確実に導かれるため、冷蔵庫の排水性機能は維持される。
【００２８】
（実施の形態２）
図４は本発明の実施の形態２における冷蔵庫の断面図である。図５は本発明の実施の形態２における内箱の背面斜視図である。
【００２９】
図４、図５において、２５は冷蔵庫本体で２６は冷却器であり、冷蔵室２７を冷却するための蛇行形状を有する冷蔵室冷却パイプ２８は冷却プレート２９を介して内箱３０に取り付けられている。内箱３０の背面は上部に傾斜面３１、その下部は垂直面３２であり、冷却プレート２９は内箱３０に密着配置するために、内箱３０と同様、上部に傾斜面３３、その下部は垂直面３４を有している。
【００３０】
以上のように構成された冷蔵庫について、以下その動作、作用について説明する。
【００３１】
冷蔵室冷却パイプ２８により冷却プレート２９が冷却され、冷却プレート２９により、内箱３０の傾斜面３１、垂直面３２が冷却され、冷蔵室２７内はその内箱３０の傾斜面３１、垂直面３２によって冷却された空気が自然対流で循環することで冷やされる。内箱３０の背面の傾斜面３１によって冷やされた空気は比重が大きくなるため下方に移動するが、傾斜面３１の鉛直方向の下部には第１の庫内棚２２が位置しているため、傾斜面３１で冷却された空気は第１の庫内棚２２の食品搭載面２３で受けられる。食品搭載面２３で受けられた空気は食品搭載面２３上を前後左右へと拡散しさらに冷蔵室２７の下方へと移動するが、前部に移動した空気は食品搭載面２３より下部に第１のドア棚２４の上端２４ａが位置しているため、第１のドア棚２４に移動する。つまり、内箱３０から第１のドア棚２４まで、冷却された空気の風路が形成されているため、第１のドア棚２４の温度を低減することができる。内箱３０の傾斜面３１についた除霜水は傾斜面３１に沿って流れるため第１のドレン部１６に確実に導かれるため、冷蔵庫の排水性機能は維持される。
【００３２】
（実施の形態３）
図６は本発明の実施の形態３における冷蔵庫の断面図である。図７は本発明の実施の形態３における冷蔵室の正面図である。
【００３３】
図６、図７において、３５は冷蔵庫本体であり、上室の冷蔵室３６内には、庫内棚の内、最高部に位置する第１の庫内棚３７が備えられている。第１の庫内棚３７は、前部に食品搭載面３８、後部に第２のドレン部３９を有している。第２のドレン部３９は除霜水を第１のドレン部１６へと導く第２の排水管部４０が備えられていている。
【００３４】
以上のように構成された冷蔵庫について、以下その動作、作用について説明する。
【００３５】
第１の庫内棚３７より上方からの除霜水は第２のドレン部３９で受けられるので、第１の庫内棚３７は内箱３の背面と隙間無く備えることができる。その結果、第１の庫内棚３７の上方にある空気は内箱３により冷却され比重が大きくなり、冷蔵室３６の下方へ移動するが、内箱３と隙間無く備えられている第１の棚３７で受けられる。第１の棚３７で受けられた空気は第１の棚３７上を前後左右へと拡散しさらに冷蔵室３６の下方へと移動するが、前部に移動した空気は食品搭載面３８より下部に第１のドア棚２４の上端２４ａが位置しているため、第１のドア棚２４に移動する。つまり、内箱３から第１のドア棚２４まで、冷却された空気の風路が形成されているため、第１のドア棚２４の温度を低減することができる。
【００３６】
（実施の形態４）
図８は本発明の実施の形態３における冷蔵庫の断面図である。図９は本発明の実施の形態３における冷蔵室の正面図である。
【００３７】
図８、図９において、４１は冷蔵庫本体であり、上室の冷蔵室４２の内箱４３の背面には、第１の棚２２の上方に第２のドレン部４４と第２のドレン部４４の一部には冷蔵室４２外と連通している第２の排水管部４５を設けている。
【００３８】
以上のように構成された冷蔵庫について、以下その動作、作用について説明する。
【００３９】
第１の庫内棚２２より上方からの除霜水は第２のドレン部４４で受けられるので、第１の庫内棚２２は内箱４３の背面と隙間無く備えることができる。その結果、第１の庫内棚２２の上方にある空気は内箱４３により冷却され比重が大きくなり、冷蔵室４２の下方へ移動するが、内箱４３と隙間無く備えられている第１の棚２２で受けられる。第１の棚２２で受けられた空気は第１の棚２２の食品搭載面２３上を前後左右へと拡散しさらに冷蔵室４２の下方へと移動するが、前部に移動した空気は食品搭載面２３より下部に第１のドア棚２４の上端２４ａが位置しているため、第１のドア棚２４に移動する。つまり、内箱３から第１のドア棚２４まで、冷却された空気の風路が形成されているため、第１のドア棚２４の温度を低減することができる。
【産業上の利用可能性】
【００４０】
以上のように、本発明にかかる冷蔵庫は、最上部に位置する庫内棚の食品搭載面にその上方から移動してくる空気を受け、食品搭載面より下に位置している最上部のドア棚に空気を導くことで最上部のドア棚温度を低減することができる。
【図面の簡単な説明】
【００４１】
【図１】本発明による冷蔵庫の実施の形態１を説明する冷蔵庫の断面図
【図２】本発明による冷蔵庫の実施の形態１を説明する冷蔵室の正面図
【図３】本発明による冷蔵庫の実施の形態１を説明する内箱の背面斜視図
【図４】本発明による冷蔵庫の実施の形態２を説明する冷蔵庫の断面図
【図５】本発明による冷蔵庫の実施の形態２を説明する内箱の背面斜視図
【図６】本発明による冷蔵庫の実施の形態３を説明する冷蔵庫の断面図
【図７】本発明による冷蔵庫の実施の形態３を説明する冷蔵室の正面図
【図８】本発明による冷蔵庫の実施の形態４を説明する冷蔵庫の断面図
【図９】本発明による冷蔵庫の実施の形態４を説明する冷蔵室の正面図
【図１０】従来の冷蔵庫の断面図
【図１１】従来の冷蔵室の正面図
【図１２】従来の冷蔵庫の内箱の背面斜視図
【符号の説明】
【００４２】
２    外箱
３    内箱
４    断熱材
８    第２の庫内棚
９    冷蔵室ドア
１１  第２のドア棚
１３  冷蔵室冷却パイプ
１６  ドレン部
１７  排水管部
１８  冷蔵庫本体
１９  冷蔵室
２０  アルミプレート
２１  傾斜面
２２  第１の庫内棚
２３  食品搭載面
２４  第１のドア棚
２４ａ  第１のドア棚上端
２５  冷蔵庫本体
２６  冷却器
２７  冷蔵室
２８  冷蔵室冷却パイプ
２９  冷却プレート
３０  内箱
３１  傾斜面
３２  垂直面
３３  傾斜面
３４  垂直面
３５  冷蔵庫本体
３６  冷蔵室
３７  第１の庫内棚
３８  食品搭載面
３９  棚ドレン部
４０  棚排水管部
４１  冷蔵庫本体
４２  冷蔵室
４３  内箱
４４  上部ドレン部
４５  上部排水管部
【図１】
2006234220.tif 000003
【図２】
2006234220.tif 000004
【図３】
2006234220.tif 000005
【図４】
2006234220.tif 000006
【図５】
2006234220.tif 000007
【図６】
2006234220.tif 000008
【図７】
2006234220.tif 000009
【図８】
2006234220.tif 000010
【図９】
2006234220.tif 000011
【図１０】
2006234220.tif 000012
【図１１】
2006234220.tif 000013
【図１２】
2006234220.tif 000014